(57)【特許請求の範囲】
【請求項１】
合成樹脂製又はコンクリート製よりなる構成材料を以て略方形状に形成される蓄養装置本体（１）には、一部に蓄養水槽（２）と、隣接してフィルター槽（３）、濾過槽（４）、熱交換ポンプ槽（５）及び殺菌槽（６）とを一体的に構成し、該蓄養水槽（２）には、角隅部に少なくとも複数個所に誘導湾曲カバー壁（１１）（１１）を立設し、該誘導湾曲カバー壁（１１）（１１）には、下方に数個の流通孔（２２）（２２）を穿設し、該誘導湾曲カバー壁（１１）（１１）には、内部の下部に案内カバー（１７）で覆われた分散器（１０）を設置し、且つ該案内カバー（１７）には、流筒管（１３）を立設すると共に、該流筒管（１３）の上端に、一方向に流出するエアレーション吐出筒（９）を装設し、該分散器（１０）には、端部にホース（１５）を連結する接続部（１４）を設け、該ホース（１５）は、端部を蓄養水槽（２）の壁面に設けたエアー調節用コック（１６）に接続したことを特徴とする蓄養活魚水槽装置。
【発明の詳細な説明】
【０００１】
【産業上の利用分野】
本発明は、各種の活魚を飼育する蓄養水槽の内部の表面にエアレーションしながら水流を作ることによって、魚類の飼育量及び蓄養量を増大するための蓄養活魚水槽装置に関するものである。
【０００２】
【従来の技術】
一般にこの種の蓄養活魚水槽装置には、エアレーションの分散器が使用されている。しかし、このエアレーションの分散器は、普通水槽内部に設置するため、水流が一定方向に循環することなく、水流にブレーキが係ると云う問題点がある。
【０００３】
また、水槽に使用するエアーホースが水面上に浮遊するため邪魔となり作業性が大変に悪く、且つ、水面上の浮遊物の流れが非常に流れ難い問題点がある。
【０００４】
更に、従来の蓄養水槽では、エアレーションの発生する泡のために内部の活魚の観測が非常に難しいと共に、活魚の捕り出し等の際には、分散器を移動する等の作業が必要である問題点がある。
【０００５】
【発明が解決しよとうする課題】
本発明は、従来の上記のような問題点に鑑みてなされたものであり、解決しようとする点は、蓄養活魚水槽における分散器によって生ずる水流の不循環を改良し、且つ、エアレーションによる水面上の浮遊物の流れを良好にして排出し、水槽内の活魚等の透視観測を良好とした点にある。
【０００６】
【課題を解決するための手段】
本発明は、上記の目的を達成するために、この蓄養水槽によれば、角隅部の少なくとも複数個所以上に誘導湾曲カバー壁を装設する。該誘導湾曲カバー壁には、内部の下部に案内カバーを設けた分散器と、案内カバーに立設した流筒管とを装設する。その流筒管の上端しには、一方向に各々流出する水平方向のエアレーション吐出筒を装設したものである。
【０００７】
【実施例】
次に、本発明の実施例を図面について説明すると、蓄養装置本体（１）は、各種の活魚等を飼育できる適宜の大きさの合成樹脂製又はコンクリート等の構成材料を以て略方形状に形成されている。該蓄養装置本体（１）には、一部に蓄養水槽（２）と、フィルター槽（３）、濾過槽（４）、熱交換ポンプ槽（５）及び殺菌槽（６）等を以て一体的に構成されている。
【０００８】
前記蓄養水槽（２）には、内底部に吸引用の排水口（８）を適宜位置に設けてある。該蓄養水槽（２）には、角隅部の少なくとも複数個所に水を案内流通する誘導湾曲カバー壁（１１）（１１）…を立設してある。該誘導湾曲カバー壁（１１）（１１）…は、下方に数個の流通孔（２２）（２２）…を穿設してある。且つ該誘導湾曲カバー壁（１１）（１１）…の内部には、下部に案内カバー（１７）で覆われた分散器（１０）を装設してある。該案内カバー（１７）には、立設した流筒管（１３）を装設し、該流筒管（１３）には、上端しに一方向の吐出口（１２）を設けたエアレーション吐出筒（９）を連結してある。
【０００９】
次に、該分散器（１０）には、端部にホース（１５）を連結する接続部（１４）を装設し、該ホース（１５）には、端部を蓄養水槽（２）の壁面に設けたコンプレッサー（図示せず）に連結されているエアー調節用コック（１６）に接続してある。
【００１０】
該フィルター槽（３）は、排水口（８）に連通する吸水路（２３）より内部に立設するオーバーフロー管（１８）に連通されている。前記濾過槽（４）には、内部の下方に流水する各種形状の通孔を設けた多孔板（１９）を敷設する。この多孔板（１９）の上面には、花崗岩砕石、貝殼砕貝等よりなる濾過材（２０）を積層して収容してある。
【００１１】
次に、熱交換ポンプ槽（５）には、内部に単数又は複数の流水を吸上げる縦型の軸流ポンプ（２１）（２１）を配設する。該軸流ポンプ（２１）（２１）は、前記蓄養水槽（２）に向って排流されて循環するようになっている。また、該殺菌槽（６）には、内部に殺菌装置を装設してある。なお、符号（２４）は、掃除用蓋で、（２５）は、仕切り網受けで、（２６）は、上下調整台である。更に、本発明の実施例は、蓄養装置本体（１）は、蓄養水槽（２）と濾過槽（４）とが一体化されたものが説明されているが、該蓄養水槽（２）と濾過槽（４）の位置が別々の設置場所に設計変更された場合でも本発明の特許請求の範囲内では、当然に実施は可能の範囲である。
【００１２】
【作用】
本発明は上記の如き構成からなる実施例を図面に基づいて説明すると、蓄養装置本体（１）は、全体を一体的に構成したものであり、今この用法を説明すると、熱交換ポンプ槽（５）に立設されている軸流ポンプ（２１）（２１）を始動し、該熱交換ポンプ槽（５）内の水を蓄養水槽（２）に流出口より注入する。この蓄養水槽（２）に注入された水は、分散器（１０）より気泡状の流水は流筒管（１３）を経て上部の複数のエアレーション吐出筒（９）（９）の吐出口（１２）（１２）よりの流水は、該蓄養水槽（２）の内壁の一方向に向って数個所より流出するため、蓄養水槽（２）の上面外周壁に沿って循環させ、気泡状の泡の一部の不純物を外部に排水する。また、該蓄養水槽（２）内の内底部の目皿等排出口（８）より吸水路（２３）を経て隣接しているフィルター槽（３）のオーバーフロー管（１８）の上部より噴出し、フィルターによって大きい異物を排除して次の濾過槽（４）の上部より内部の濾過材（２０）及び多孔板（１９）を上方から下方に通過して濾過され、次に該殺菌槽（６）において、流水中に浮遊するバクテリア、細菌及びその他の微生物を効率的に死滅させた後、熱交換ポンプ槽（５）内に侵入し内部の水を順次該軸流ポンプ（２１）（２１）により引上げて再度該蓄養水槽（２）に循環するものである。
【００１３】
【発明の効果】
本発明は、以上の様に構成されているので、大型小型の蓄養水槽に対してもエアレーションしながら水流を作ることで、活魚類の飼育量及び蓄養量を著しく増大できる効果がある。また、従来のエアレーションの分散器のように水槽内の水流にブレーキが係る欠点と、エアホースが水面上に浮くことがない点及び浮遊物の流れと、泡による魚類の観測が難しい点等を解決した優れた効果がある。そして、蓄養水槽の角隅部に少なくとも複数個所の誘導湾曲カバー壁を装設したので、排出口からの水流が容易に回流できる効果と、誘導湾曲カバー壁の下部に数個の流通孔を穿設してあるので、蓄養水槽の下部の水を循環よく流通できる優れた効果がある。また、誘導湾曲カバー壁の内部に分散器を収納した案内カバーを設けたので、拡散しないで流筒管を上昇しエアレーション吐出筒より確実に一方向に水流が生ずると云う優れた効果がある。
【図面の簡単な説明】
【図１】本発明の蓄養活魚水槽装の全体の平面図である。
【図２】同じく本発明の一部欠除した縦断側面図である。
【図３】本発明の分散器の設置状態の１部欠除した正面図である。
【図４】同じく本発明の分散器部分の拡大正面図である。
【図５】本発明の誘導湾曲カバー壁を隅部に装設した横断平面図である。
【図６】本発明の誘導湾曲カバー壁の正面図である。
【符号の説明】
１          蓄養装置本体
２          蓄養水槽
３          フィルター槽
４          濾過槽
５          熱交換ポンプ槽
６          殺菌槽
８          排水口
９          エアレーション吐出筒
１０          分散器
１１          誘導湾曲カバー壁
１２          吐出口
１３          流筒管
１４          接続部
１５          ホース
１６          エアー調整用コック
１７          案内カバー
１８          オーバーフロー管
２０          濾過材
２１          軸流ポンプ
２２          流通孔
２３          吸水路
【図１】
0004102960.tif 000002
【図２】
0004102960.tif 000003
【図３】
0004102960.tif 000004
【図４】
0004102960.tif 000005
【図５】
0004102960.tif 000006
【図６】
0004102960.tif 000007